(57)【要約】【課題】  門扉を開ける際の力を軽減できる伸縮門扉の提供。【解決手段】  複数の縦桟１，２，３と、縦桟を連結する左右方向に伸縮自在なリンク６，７と、吊元框１３とを備え、リンクは、縦桟の長手方向に沿って移動自在に設けた摺動軸１５ｃを有し、吊元框に隣接する縦桟２は、吊元側に移動可能に吊元框１３と連結してあり、吊元框１３は、戸先側に向かうにつれて下り勾配で傾斜したガイド部１４を有し、門扉を縮めたときに吊元框１３に隣接する縦桟２が吊元側に移動し、それに伴って吊元框に隣接する縦桟の摺動軸１５ｃがガイド部１４にガイドされて上方に移動する。【選択図】      図１０
2009287309.tif 000002
【特許請求の範囲】
【請求項１】
複数の縦桟と、縦桟を連結する左右方向に伸縮自在なリンクと、吊元框とを備え、リンクは、縦桟の長手方向に沿って移動自在に設けた摺動軸を有し、吊元框に隣接する縦桟は、吊元側に移動可能に吊元框と連結してあり、吊元框は、戸先側に向かうにつれて下り勾配で傾斜したガイド部を有し、門扉を縮めたときに吊元框に隣接する縦桟が吊元側に移動し、それに伴って吊元框に隣接する縦桟の摺動軸がガイド部にガイドされて上方に移動することを特徴とする伸縮門扉。
【請求項２】
複数の縦桟と、縦桟を連結する左右方向に伸縮自在なリンクと、吊元框とを備え、リンクは、縦桟の長手方向に沿って移動自在に設けた摺動軸を有し、吊元框に隣接する縦桟と吊元框とが左右方向に伸縮自在な吊元部リンクで連結してあり、吊元部リンクは、摺動軸と係合する係合部を有し、係合部は、吊元部リンクが縮むにつれて上方に移動するものであり、門扉を縮めたときに吊元框に隣接する縦桟が吊元側に移動し、それに伴って吊元框に隣接する縦桟の摺動軸が係合部と係合して上方に移動することを特徴とする伸縮門扉。
【発明の詳細な説明】
【技術分野】
【０００１】
本発明は、伸縮門扉に関する。
【背景技術】
【０００２】
従来の伸縮門扉は、図２１に示すように、多数の縦桟９０をパンタグラフ状のリンク９１で繋いだものとなっている。間口が広く、縦桟やリンクの本数が多い伸縮門扉では、門扉の開閉が重くなり、力の弱い人は門扉の開閉に苦労することがあった。また近年、都市部の住宅等においては、視線が抜けるオープンな感覚の意匠のものが好まれる傾向があり、そのために縦桟９０の間隔Ｐを広くすると、門扉を閉じた状態でリンクの傾きが小さくなるため、門扉を開けるときにより一層強い力が必要となる。  
【発明の開示】
【発明が解決しようとする課題】
【０００３】
本発明は以上に述べた実情に鑑み、門扉を開ける際の力を軽減できる伸縮門扉の提供を目的とする。
【課題を解決するための手段】
【０００４】
上記の課題を達成するために請求項１記載の発明による伸縮門扉は、複数の縦桟と、縦桟を連結する左右方向に伸縮自在なリンクと、吊元框とを備え、リンクは、縦桟の長手方向に沿って移動自在に設けた摺動軸を有し、吊元框に隣接する縦桟は、吊元側に移動可能に吊元框と連結してあり、吊元框は、戸先側に向かうにつれて下り勾配で傾斜したガイド部を有し、門扉を縮めたときに吊元框に隣接する縦桟が吊元側に移動し、それに伴って吊元框に隣接する縦桟の摺動軸がガイド部にガイドされて上方に移動することを特徴とする。
【０００５】
請求項２記載の発明による伸縮門扉は、複数の縦桟と、縦桟を連結する左右方向に伸縮自在なリンクと、吊元框とを備え、リンクは、縦桟の長手方向に沿って移動自在に設けた摺動軸を有し、吊元框に隣接する縦桟と吊元框とが左右方向に伸縮自在な吊元部リンクで連結してあり、吊元部リンクは、摺動軸と係合する係合部を有し、係合部は、吊元部リンクが縮むにつれて上方に移動するものであり、門扉を縮めたときに吊元框に隣接する縦桟が吊元側に移動し、それに伴って吊元框に隣接する縦桟の摺動軸が係合部と係合して上方に移動することを特徴とする。
【発明の効果】
【０００６】
請求項１記載の発明による伸縮門扉は、門扉を縮めたときに、吊元框に隣接する縦桟の摺動軸が吊元框に設けたガイド部にガイドされて上方に移動することで、縦桟を連結するリンクが縮むのを補助するため、門扉を開ける際の力を軽減できる。
【０００７】
請求項２記載の発明による伸縮門扉は、門扉を縮めたときに、吊元框に隣接する縦桟の摺動軸が吊元部リンクの係合部と係合して上方に移動することで、縦桟を連結するリンクが縮むのを補助するため、門扉を開ける際の力を軽減できる。
【発明を実施するための最良の形態】
【０００８】
以下、本発明の実施の形態を図面に基づいて説明する。図１〜図１１は、本発明の伸縮門扉の第１実施形態を示している。本伸縮門扉は、図１に示すように、一方の縦桟１と、他方の縦桟２と、両縦桟１，２間に設けた中間縦桟３と、一方の縦桟１と中間縦桟３の上部間に設けた一方側上部リンク４と、中間縦桟３と他方の縦桟２の上部間に設けた他方側上部リンク５と、一方の縦桟１と中間縦桟３の下部間に設けた一方側下部リンク６と、中間縦桟３と他方の縦桟２の下部間に設けた他方側下部リンク７とで１つの区間が構成されており、これを左右に２区間分連続させている。一方の縦桟１と中間縦桟３との間隔、中間縦桟３と他方の縦桟２との間隔、上部リンク４，５と下部リンク６，７との間隔は、いずれも約７５０ｍｍと非常に広くあいており、そのため見込み方向に視線が抜けるオープンな感覚の意匠になっている。また、一方側上部リンク４と他方側上部リンク５、一方側下部リンク６と他方側下部リンク７とが、それぞれ水平に連続するように配置してあり、斜めのリンクが多数配置された従来の伸縮門扉とは異なり、手摺やフェンスのような直線的ですっきりした意匠となっている。
【０００９】
本伸縮門扉は、一方側（左側）を戸先側、他方側（右側）を吊元側とし、左右の支柱４６ａ，４６ｂ間の間口に設置している。左端の縦桟１（一方の縦桟１）には戸先框４７が取付けてあり、戸先框４７には支柱４６ａへの掛止具４８と操作ハンドル４９とを備えている。右端の縦桟２（他方の縦桟２）は吊元框１３と連結してあり、吊元框１３は支柱４６ｂにヒンジ５０で取付けてある。
【００１０】
まず、伸縮門扉本体の構成について説明する。一方の縦桟１と他方の縦桟２は、図４，５に示すように、一側面に長手方向にスリット５７が形成された略Ｃ字状断面のアルミ押出形材よりなり、スリット５７を内側に向けて前側と後側に対向して設けてある。前後の縦桟１，１、２，２の下端部には、図８に示すように自在キャスター２１を取付けてある。
中間縦桟３は、図４，５に示すように、一側面に長手方向にスリット５７が形成された略Ｃ字状断面のアルミ押出形材よりなるガイド縦桟３ａを、スリット５７を内側に向けて前後に対向して配置してあると共に、前後のガイド縦桟３ａ，３ａの間に角パイプよりなる伸長部３ｂを設けてある。伸長部３ｂの下部には、前後のガイド縦桟３ａ，３ａにローラー３１を介して上下動可能に案内した摺動軸１５ａ，３２が２本挿通してあり、摺動軸１５ａ，３２により伸長部３ｂはガイド縦桟３ａの長手方向に移動自在に案内され、伸長部３ｂが上方に移動することで、中間縦桟３が上方に伸長自在となっている。
【００１１】
一方側上部リンク４と他方側上部リンク５は、断面下向きコ字状の笠木となっており、各縦桟１，２，３の上端よりも高い位置に一直線に連続して設けてある。図７，８に示すように、他方側上部リンク５の他方側端部には、下方にのびるブラケット３３が取付けてあり、ブラケット３３の下端部を他方の縦桟２の上端部に見込み方向の軸３４で回動自在に連結してある。他方側上部リンク５の一方側端部には、図２，４に示すように、一方側にのびるブラケット３５が取付けてあり、ブラケット３５の先端部を中間縦桟の伸長部３ｂ上端部に取付けたブラケット３６に見込み方向の軸３７で回動自在に連結してある。一方側上部リンク４の内側には、断面下向きコ字状のブラケット３８が取付けてあり、当該ブラケット３８と伸長部３ｂの上端部に取付けたブラケット３６とを見込み方向の軸３９で回動自在に連結してある。一方側上部リンク４の他方側端部は、他方側上部リンク５に取付けたブラケット３５上に乗っており、また前後の壁が下側から斜めに切断してある。一方側上部リンク４に取付けたブラケット３８の前記軸３９の挿通孔４０は、左右方向の長孔となっている。一方側上部リンク４の一方側端部は、図１に示すように、一方の縦桟１の上端部に取付けたブラケット４１に見込み方向の軸４２で回動自在に連結してある。
【００１２】
一方側下部リンク６は、図５に示すように、縦桟１，１、３ａ，３ａ間の下部に見込み方向に間隔をおいて配置した一方側第１下部リンク部材８と一方側第２下部リンク部材９を有している。一方側第１下部リンク部材８は、一方側端部に設けた下向き傾斜部８ａと、他方側端部に設けた上向き傾斜部８ｂと、両傾斜部を繋ぐ水平部８ｃとを有するものとなっている。一方側第２下部リンク部材９は、一方側第１下部リンク部材８とは左右が逆になっており、一方側端部に設けた上向き傾斜部９ｂと、他方側端部に設けた下向き傾斜部９ａと、両傾斜部を繋ぐ水平部９ｃとを有するものとなっている。一方側第１下部リンク部材８の下向き傾斜部８ａの先端部は、見込み方向の軸４３ａにより一方の縦桟１の下端部に回動自在に連結してあり、一方側第１下部リンク部材８の上向き傾斜部８ｂの先端部は、摺動軸１５ａにより中間縦桟３に回動自在に且つ縦桟の長手方向に沿って移動自在に連結してある。一方側第２下部リンク部材９の下向き傾斜部９ａの先端部は、見込み方向の軸４３ｂにより中間縦桟３の下端部に回動自在に連結してあり、一方側第２下部リンク部材９の上向き傾斜部９ｂの先端部は、摺動軸１５ｂにより一方の縦桟１に回動自在に且つ縦桟の長手方向に沿って移動自在に連結してある。一方側第１下部リンク部材８の水平部８ｃと一方側第２下部リンク部材９の水平部９ｃは、見込み方向に重なっており、両水平部８ｃ，９ｃの中央部を見込み方向の軸４４ａで回動自在に連結してある。
他方側下部リンク７は、一方側下部リンク６と同様に、見込み方向に間隔をおいて配置した他方側第１下部リンク部材１０と他方側第２下部リンク部材１１とを有している。他方側第１下部リンク部材１０は、一方側端部に設けた下向き傾斜部１０ａと、他方側端部に設けた上向き傾斜部１０ｂと、両傾斜部を繋ぐ水平部１０ｃとを有するものとなっている。他方側第２下部リンク部材１１は、他方側第１下部リンク部材１０とは左右が逆になっており、一方側端部に設けた上向き傾斜部１１ｂと、他方側端部に設けた下向き傾斜部１１ａと、両傾斜部を繋ぐ水平部１１ｃとを有するものとなっている。他方側第１下部リンク部材１０の下向き傾斜部１０ａの先端部は、見込み方向の軸４３ｂにより中間縦桟３の下端部に回動自在に連結してあり、他方側第１下部リンク部材１０の上向き傾斜部１０ｂの先端部は、摺動軸１５ｃにより他方の縦桟２に回動自在に且つ縦桟の長手方向に沿って移動自在に連結してある。他方側第２下部リンク部材１１の下向き傾斜部１１ａの先端部は、見込み方向の軸４３ｃにより他方の縦桟２の下端部に回動自在に連結してあり、他方側第２下部リンク部材１１の上向き傾斜部１１ｂの先端部は、摺動軸１５ａにより中間縦桟３に回動自在に且つ縦桟の長手方向に沿って移動自在に連結してある。他方側第１下部リンク部材１０の水平部１０ｃと他方側第２下部リンク部材１１の水平部１１ｃは、見込み方向に重なっており、両水平部１０ｃ，１１ｃの中央部を見込み方向の軸４４ｂで回動自在に連結してある。
【００１３】
一方側第１下部リンク部材８の上向き傾斜部８ｂの先端部及び他方側第２下部リンク部材１１の上向き傾斜部１１ｂの先端部に挿通した摺動軸１５ａは、中間縦桟３の伸長部３ｂの下端部にも挿通されており、伸長部３ｂにより一方側・他方側下部リンク６，７と一方側・他方側上部リンク４，５とを連結している。
【００１４】
一方側第２下部リンク部材９の下向き傾斜部９ａの先端部及び他方側第１下部リンク部材１０の下向き傾斜部１０ａの先端部を中間縦桟３に連結している軸４３ｂには、図６に示すように、捻りバネ１２が遊嵌して設けてあり、捻りバネ１２の前後の端部が前記各リンク部材の下向き傾斜部９ａ，１０ａに係止してある。この捻りバネ１２は、図中の矢印４５で示すように、前記各リンク部材９，１０を軸４３ｂを支点として上方に回動する向き（一方側下部リンク６と他方側下部リンク７が縮む方向）に付勢している。
【００１５】
図９は本伸縮門扉を途中まで縮めた状態を示し、図１１は本伸縮門扉を最も縮めた状態を示している。これらの図に示すように、本伸縮門扉を縮めてゆくと、一方側上部リンク４と他方側上部リンク５が、それぞれ一方及び他方の縦桟１，２側の軸３４，４２を支点として上方に回動し、それに伴って中間縦桟３の伸長部３ｂが上方に移動し、中間縦桟３が上方に伸びる。一方側下部リンク６と他方側下部リンク７は、各リンク部材８，９，１０，１１が下向き傾斜部８ａ，９ａ，１０ａ，１１ａに挿通した軸４３ａ，４３ｂ，４３ｃを支点として上方に回動し、上向き傾斜部８ｂ，９ｂ，１０ｂ，１１ｂに挿通した摺動軸１５ａ，１５ｂ，１５ｃが縦桟１，２，３の上方にスライドすることにより縮む。
本伸縮門扉は、下部リンク６，７を構成する各リンク部材８，９，１０，１１に水平部８ｃ，９ｃ，１０ｃ，１１ｃが設けてあり、且つ水平部８ｃ，９ｃと水平部１０ｃ，１１ｃが、それぞれ見込み方向に重なることで、縦桟間の間隔を広くできると共に、下部リンク６，７が水平に配置されて目立たなくなる。また、各リンク部材８，９，１０，１１の両端部に下向き傾斜部８ａ，９ａ，１０ａ，１１ａと上向き傾斜部８ｂ，９ｂ，１０ｂ，１１ｂを設けたことで、縦桟１に門扉を縮める方向に力Ｆを加えたときに、各リンク部材８，９，１０，１１が軸４３ａ，４３ｂ，４３ｃを支点として上方にスムーズに回動する。門扉を縮めた状態では、中間縦桟３の伸長部３ｂと各リンク４，５，６，７の自重により、そのままでは門扉が勝手に伸びようとするが、先に述べたように、捻りバネ１２により一方側下部リンク６と他方側下部リンク７を縮む方向に付勢してあるため、門扉を任意の長さに縮めた状態で停止させることができる。また、捻りバネ１２の付勢力が作用していることで、門扉を縮める際の操作力Ｆを軽減することができる。さらに、中間縦桟３の伸長部３ｂが一方側・他方側上部リンク４，５と一方側・他方側下部リンク６，７とを連結しているので、門扉伸縮時の上部リンク４，５と下部リンク６，７の動きが同調し、門扉が安定してスムーズに伸縮する。
【００１６】
さらに本伸縮門扉は、吊元部５８に門扉を開ける際の力を軽減する機構を備えている。吊元框１３は、図７，８に示すように、上部と下部の前側と後側の４箇所にガイドレール５１が戸先側に突出して設けてあり、吊元框１３に隣接する右端の縦桟２にはガイドレール５１と係合するローラー５２を有しており、縦桟２がこのガイドレール５１とローラー５２を介して吊元側に移動可能としてある。さらに、吊元框１３の下部には、戸先側に突出するガイドプレート５３を設けてある。ガイドプレート５３は、戸先側に向かうにつれて下り勾配で傾斜したガイド部１４を有している。
【００１７】
図９に示すように、門扉を開けようとして操作ハンドル４９に吊元側に力Ｆを加えると、右端の縦桟２が吊元側に移動可能に吊元框１３と連結してあるため、まず伸縮門扉が全体的に吊元側に移動する。この時、図１０に示すように、他方側第１下部リンク部材１０の上向き傾斜部１０ｂに挿通した摺動軸１５ｃがガイド部１４に乗り上げて上方に移動する。これにより、操作ハンドル４９から吊元側に向けて加えた力Ｆが一方側・他方側下部リンク６，７を縮ませる力に変換され、その力は中間縦桟３の伸長部３ｂを介して一方側・他方側上部リンク４，５を押し上げることにもなるから、伸縮門扉を開ける際に操作ハンドル４９に加える力Ｆを小さくできる。なお、図中の符号５４は、門扉を縮めたときに縦桟２に当接し、縦桟２がそれ以上吊元側に移動するのを規制するストッパーである。各ガイドレール５１の先端部には、縦桟２に取付けたローラー５２がガイドレール５１から外れるのを防ぐストッパー（図示省略）を有している。
【００１８】
上述の第１実施形態においては、各下部リンク部材８，９，１０，１１をまっすぐな棒状とし、門扉が閉じた図１の状態で、一方側下部リンク６と他方側下部リンク７がそれぞれＸ字状に交差したものとすることもできる。
【００１９】
図１２〜１６は、本発明の伸縮門扉の第２実施形態を示している。伸縮門扉本体の構成は第１実施形態のものと同じであり、吊元部５８に設けてある門扉を開ける際の力を軽減する機構が第１実施形態のものと異なっている。
右端の縦桟２（他方の縦桟２）と吊元框１３とは、図１３，１４に示すように、Ｘ字状の吊元部リンク１６ａ，１６ｂにより連結されている。吊元部リンク１６ａ，１６ｂの端部を吊元框１３と縦桟２に連結している８本の軸のうち、軸５５ａ，５５ｂ，５５ｇ，５５ｈは吊元框１３と縦桟２にそれぞれ固定してあり、軸５５ｃ，５５ｄ，５５ｅ，５５ｆは吊元框１３と縦桟２に上下方向に移動自在に取付けてある。したがって、上下の吊元部リンク１６ａ，１６ｂは左右方向に伸縮自在となり、吊元部リンク１６ａ，１６ｂの伸縮に伴って縦桟２が吊元框１３に対して接近・離間自在となっている。下側の吊元部リンク１６ｂの縦桟２側の上下動自在な軸５５ｅにはプレート５６が取付けてあり、プレート５６にはアングル状の係合部１７が取付けてある。係合部１７は、他方側第１下部リンク部材１０の上向き傾斜部１０ｂに挿通した摺動軸１５ｃに、下方より係合している。
【００２０】
門扉を開けようとして操作ハンドル４９を吊元側に動かすと、図１５に示すように、吊元部リンク１６ａ，１６ｂが縮みながら縦桟２が吊元側に移動する。この時、吊元部リンク１６ｂの軸５５ｅが上方に移動するのに伴い、摺動軸１５ｃが係合部１７と係合して上方に移動する。これにより、操作ハンドル４９から吊元側に向けて加えた力Ｆが一方側・他方側下部リンク６，７を縮ませる力に変換され、その力は中間縦桟３の伸長部３ｂを介して一方側・他方側上部リンク４，５を押し上げることにもなるから、伸縮門扉を開ける際に操作ハンドル４９に加える力を小さくできる。
【００２１】
図１７は、本発明の伸縮門扉の第３実施形態を示す正面図であり、図１８はこの伸縮門扉を途中まで縮めた状態を示している。この伸縮門扉は、複数の縦桟５９，５９，…をパンタグラフ状のリンク６０で連結してあり、吊元部５８には第１実施形態のものと同様に門扉を開ける際の力を軽減する機構を備えている。リンク６０は、右上がりに傾斜する第１リンク部材６１と、左上がりに傾斜する第２リンク部材６２を有し、両リンク部材の交差部を見込み方向の軸６３ａ，６３ｂ，６３ｃ，６３ｄで連結して構成してある。下から２番目の高さに位置する軸６３ｂは縦桟５９に固定してあり、下から３番目の高さに位置する軸６３ｃは縦桟５９の長手方向に沿って摺動する摺動軸となっている。
【００２２】
図１８に示すように、門扉を開けようとして操作ハンドル４９に吊元側に力Ｆを加えると、右端の縦桟２が吊元側に移動可能に吊元框１３と連結してあるため、伸縮門扉が全体的に吊元側に移動する。リンク６０は、各リンク部材６１，６２が縦桟５９に固定した軸６３ｂを支点として回動し、摺動軸６３ｃが縦桟５９に沿って上方に移動することで縮む。この時、摺動軸６３ｃがガイド部１４に乗り上げて上方に移動し、これにより操作ハンドル４９から吊元側に向けて加えた力Ｆがリンク６０を縮ませる力に効率よく変換されるので、伸縮門扉を開ける際に操作ハンドル４９に加える力Ｆを小さくできる。
【００２３】
図１９は、本発明の伸縮門扉の第４実施形態を示す正面図であり、図２０はこの伸縮門扉を途中まで縮めた状態を示している。この伸縮門扉は、複数の縦桟５９，５９，…の上部間に設けた上部リンク６４と、複数の縦桟５９，５９，…の下部間に設けた下部リンク６５と、縦桟５９，５９，…上に一直線状に配置した複数の笠木材６６，６６，…を備えている。吊元部５８には、第１実施形態のものと同様に門扉を開ける際の力を軽減する機構を備えている。上部リンク６４は、右上がりに傾斜する第１上部リンク部材６７と、左上がりに傾斜する第２上部リンク部材６８を有し、第１上部リンク部材６７の右側端部と第２上部リンク部材６８の左側端部を交差させて軸６９で連結してあり、第１上部リンク部材６７の左側端部と第２上部リンク部材６８の右側端部は軸７０で縦桟５９に連結してある。笠木材６６は、第１上部リンク部材６７の右側端部に固定してある。下部リンク６５は、第１，２実施形態の下部リンク７と同様に構成してある。上部リンク６４の交差部と下部リンク６５の交差部とを中間縦桟７１で連結してある。
【００２４】
図２０に示すように、門扉を開けようとして操作ハンドル４９に吊元側に力Ｆを加えると、右端の縦桟２が吊元側に移動可能に吊元框１３と連結してあるため、伸縮門扉が全体的に吊元側に移動し、それに伴って下部リンク６５の摺動軸１５ｃがガイド部１４に乗り上げて上方に移動する。これにより、操作ハンドル４９から吊元側に向けて加えた力Ｆが下部リンク６５を縮ませる力に変換され、その力は中間縦桟７１を介して上部リンク６４を押し上げることにもなるから、伸縮門扉を開ける際に操作ハンドル４９に加える力Ｆを小さくできる。笠木材６６は、第１上部リンク部材６７と共に上方に回動する。
【００２５】
本発明は以上に述べた実施形態に限定されない。本発明はどのような伸縮門扉にも用いることができ、リンクの形態は問わない。
【図面の簡単な説明】
【００２６】
【図１】本発明の伸縮門扉の第１実施形態を示す正面図である。
【図２】図１のＸ部拡大図である。
【図３】図１のＡ−Ａ断面図である。
【図４】図１のＢ−Ｂ断面図である。
【図５】一方側下部リンク及び他方側下部リンクの斜視図である。
【図６】図１のＤ−Ｄ断面図である。
【図７】第１実施形態の伸縮門扉の吊元部を拡大して示す正面図である。
【図８】図７のＡ−Ａ断面図である。
【図９】第１実施形態の伸縮門扉を途中まで縮めた状態を示す正面図である。
【図１０】図９の状態における吊元部の拡大正面図である。
【図１１】第１実施形態の伸縮門扉を最も縮めた状態を示す正面図である。
【図１２】第２実施形態の伸縮門扉の正面図である。
【図１３】第２実施形態の伸縮門扉の吊元部を拡大して示す正面図である。
【図１４】図１３のＡ−Ａ断面図である。
【図１５】第２実施形態の伸縮門扉を途中まで縮めたときの吊元部の拡大正面図である。
【図１６】第２実施形態の伸縮門扉を最も縮めた状態を示す正面図である。
【図１７】第３実施形態の伸縮門扉の正面図である。
【図１８】第３実施形態の伸縮門扉を途中まで縮めた状態を示す正面図である。
【図１９】第４実施形態の伸縮門扉の正面図である。
【図２０】第４実施形態の伸縮門扉を途中まで縮めた状態を示す正面図である。
【図２１】従来の伸縮門扉を示す正面図である。
【符号の説明】
【００２７】
１  一方の縦桟（縦桟）
２  他方の縦桟（縦桟）
３  中間縦桟（縦桟）
３ａ  ガイド縦桟
３ｂ  伸長部
４  一方側上部リンク（リンク）
５  他方側上部リンク（リンク）
６  一方側下部リンク（リンク）
７  他方側下部リンク（リンク）
８  一方側第１下部リンク部材
９  一方側第２下部リンク部材
１０  他方側第１下部リンク部材
１１  他方側第２下部リンク部材
８ａ，９ａ，１０ａ，１１ａ  下向き傾斜部
８ｂ，９ｂ，１０ｂ，１１ｂ  上向き傾斜部
８ｃ，９ｃ，１０ｃ，１１ｃ  水平部
１２  捻りバネ（付勢部材）
１３  吊元框
１４  ガイド部
１５ａ，１５ｂ，１５ｃ  摺動軸
１６ａ，１６ｂ  吊元部リンク
１７  係合部
５８  吊元部
５９  縦桟
６０  リンク
６３ｃ  摺動軸
【図１】
2009287309.tif 000003
【図２】
2009287309.tif 000004
【図３】
2009287309.tif 000005
【図４】
2009287309.tif 000006
【図５】
2009287309.tif 000007
【図６】
2009287309.tif 000008
【図７】
2009287309.tif 000009
【図８】
2009287309.tif 000010
【図９】
2009287309.tif 000011
【図１０】
2009287309.tif 000012
【図１１】
2009287309.tif 000013
【図１２】
2009287309.tif 000014
【図１３】
2009287309.tif 000015
【図１４】
2009287309.tif 000016
【図１５】
2009287309.tif 000017
【図１６】
2009287309.tif 000018
【図１７】
2009287309.tif 000019
【図１８】
2009287309.tif 000020
【図１９】
2009287309.tif 000021
【図２０】
2009287309.tif 000022
【図２１】
2009287309.tif 000023